(57)【要約】【課題】製造が容易で、衛生的な噴出ポンプおよびその噴出ポンプをそなえた噴出器を提供する。【解決手段】下端部に吸込管１３をはめ付けたシリンダ１２に上方からステム１９を挿入し、そのステム１９の先端から、ガード突部１１ｄを一体成形した取付部材１１のステム挿通孔１１ｂに通す。そして、ステム挿通孔１１ｂから突出するステム１９の先端に噴出ボタン１６を取り付け、取付部材１１で容器１０の口部１０ａに取り付ける。【選択図】　　　　図１
2004089891.tif 000002
【特許請求の範囲】
【請求項１】
取付部材のステム挿通孔から突出するステムの先端に噴出ボタンを取り付け、前記取付部材で容器に取り付ける、噴出器の噴出ポンプにおいて、
前記取付部材に、前記ステム挿通孔の孔縁から前記ステムの外周に沿って突出するガード突部を設けることを特徴とする、噴出ポンプ。
【請求項２】
前記ガード突部を前記噴出ボタン内に入り込ませることを特徴とする、請求項１に記載の噴出ポンプ。
【請求項３】
前記噴出ボタンに環状溝を形成し、その環状溝内に前記ガード突部の先端を入り込ませることを特徴とする、請求項２に記載の噴出ポンプ。
【請求項４】
請求項１ないし３のいずれかに記載の噴出ポンプをそなえることを特徴とする、噴出器。
【発明の詳細な説明】
【０００１】
【発明の属する技術分野】
この発明は、取付部材のステム挿通孔から突出する、ステムの先端に噴出ボタンを取り付け、前記取付部材で容器に取り付ける、化粧用、消毒用、洗浄用、薬用、塗装用などの噴出ポンプおよびその噴出ポンプをそなえる噴出器に関する。
【０００２】
【従来の技術】
従来のこの種の噴出ポンプは、シリンダ、吸込管、ステム、噴出ボタン、ステム挿通孔を有する取付部材などをそなえ、吸込管をシリンダの下端部にはめ付け、ステムを上方からシリンダ内に挿入し、ステム挿通孔にステムを通して取付部材を取り付け、ステムの先端に噴射ボタンを取り付けて噴射ポンプとする。そして、取付部材で容器に取り付けて、噴出器とする。
【０００３】
しかし、このような噴射ポンプでは、ステム挿通孔とステムとの間に隙間があり、周囲に飛散った液体や埃が、その隙間から容器内に入り込み、不衛生であった。
【０００４】
そこで、図４に示すような噴出ポンプが提案された。すなわち、噴出ポンプは、シリンダ１と、吸込管２、管路３ａをそなえたステム３と、噴口５ａをそなえた噴出ボタン５、ステム挿通孔７ｂを有するガード部材７、取付部材８などをそなえ、ガード部材７には、ステム挿通孔７ｂの孔縁からステム３の外周に沿って突出するガード突部７ａを設ける。一方、容器６は、上部に口部６ａをそなえ、内部にはシャンプー液を収納する。
【０００５】
そして、ガード部材７を上から重ね付けた取付部材８で、噴出ポンプを容器６の口部６ａに取り付けて、噴出器とする。
【０００６】
この噴出器を使用するときは、噴出ボタン５に手を掛けて押し込み、容器６内のシャンプー液を吸込管２から吸い上げて管路３ａに入れ、噴出ボタン５の噴口５ａから吐出していた。
【０００７】
また、図５に示すように、ガード部材７が、押え部材７Ａとガード突部材７Ｂとから構成されている別の噴出ポンプもあった。
【０００８】
【発明が解決しようとする課題】
ところが、前者のような従来の噴出ポンプでは、ガード部材７が、取付部材８とは別体で構成されており、後者のような従来の噴出ポンプでは、ガード部材７がさらに、押え部材７Ａとガード突部材７Ｂとで構成されているため、部品点数が多く、組み付ける手間がかかり、噴出ポンプの製造に時間と労力を要していた。
【０００９】
また、前者のような従来の噴出ポンプでは、ガード部材７と取付部材８とが別体に形成されているので、容器６に取り付けた際に、両者の間に隙間が生じていた。また、後者のような従来の噴出ポンプでは、押え部材７Ａ、ガード突部材７Ｂ、取付部材８がそれぞれ別体に形成されているので、容器６に取り付けた際に、これらの間にそれぞれ隙間が生じていた。
【００１０】
そして、これらの隙間に、埃などが詰まり、周囲から飛散った液体がこれに付着して、カビが発生する原因となり不衛生であった。
【００１１】
そこで、この発明の目的は、製造が容易で、衛生的な噴出ポンプおよびその噴出ポンプをそなえた噴出器を提供することにある。
【００１２】
【課題を解決するための手段】
そのため、請求項１に記載の発明は、取付部材のステム挿通孔から突出するステムの先端に噴出ボタンを取り付け、前記取付部材で容器に取り付ける、噴出器の噴出ポンプにおいて、前記取付部材に、前記ステム挿通孔の孔縁から前記ステムの外周に沿って突出するガード突部を設けることを特徴とする。
【００１３】
請求項２に記載の発明は、請求項１に記載の噴出ポンプにおいて、前記ガード突部を前記噴出ボタン内に入り込ませることを特徴とする。
【００１４】
請求項３に記載の発明は、請求項２に記載の噴出ポンプにおいて、前記噴出ボタンに環状溝を形成し、その環状溝内に前記ガード突部の先端を入り込ませることを特徴とする。
【００１５】
請求項４に記載の発明は、噴出器において、請求項１ないし３のいずれかに記載の噴出ポンプをそなえることを特徴とする。
【００１６】
【発明の実施の形態】
以下、図面を参照しつつ、この発明の噴出ポンプをそなえた噴出器の一例につき説明する。図１には、この発明による噴出ポンプをそなえた噴射器の要部構成を示す。
【００１７】
図中符号１０は、容器である。容器１０は、プラスチック材料でボトル形状につくり、その口部１０ａ外周に雄ねじ１０ｂを設け、図示省略のシャンプー液を収納する。
【００１８】
噴出ポンプＰは、取付部材１１、シリンダ１２、吸込管１３、ステム１９、噴出ボタン１６などをそなえる。
【００１９】
取付部材１１は、頂部１１ａと肩部１１ｃを有する略円筒状で、内周に雌ねじ１１ｅを有するとともに、頂部１１ａの中央にステム挿通孔１１ｂを有し、ステム挿通孔１１ｂの孔縁からステム１９の外周に沿って突出する、円環状のガード突部１１ｄをそなえてなる。この取付部材１１は、ガード突部１１ｄを一体成形してなる。
【００２０】
シリンダ１２は、途中に二つの段部１２ｂ，１２ｃを設けて図中下方に向け順次小径とする。そのシリンダ１２の上端部には、フランジ１２ａを設け、段部１２ｂには、径方向に貫通する空気吸込み孔１２ｄをあける。この空気吸込み孔１２ｄは、ステム挿通孔１１ｂを経て外部と容器１０内部とを連通する。また、段部１２ｃの内側には、吸入弁１４を設ける。
【００２１】
吸入弁１４は、弁体１４ａ、弁案内１４ｂ、不図示のコイルばねをそなえ、弁体１４ａと弁案内１４ｂとは、一体成形または接合されてなる。弁体１４ａは、シリンダ１２側に形成された、弁座１２ｆに接離するようにそなえられ、弁案内１４ｂは、弁座１２ｆの内周に形成された弁孔１２ｇ内に上下動可能に挿入され、不図示のコイルばねにより、下方に弁体１２ａを閉じるように付勢されてなる。
【００２２】
一方、吸込管１３は、チューブ状で、容器１０内のシャンプー液をシリンダ１２内に吸い上げるためのものであり、容器１０の底に達する長さを有する。
【００２３】
また、ステム１９は、筒状で、内部に管路１９ａを設け、下部外周には、環状凸部１９ｂを設けて、環状凸部１９ｂがシリンダ１２の内周面を外側に向かって付勢する。そして、環状凸部１９ｂとシリンダ１２の段部１２ｃとの間にコイルバネ１８をそなえ、ステム１９を上方に付勢してなる。
【００２４】
さらに、ステム１９の管路１９ａの上部には、吐出弁１５をそなえる。この吐出弁１５は、管路１９ａの内周に形成される弁座１９ｃと、この弁座１９ｃの上面側に中央の弁孔１９ｄを塞ぐように設けられるボール状の弁体１５ａとから構成され、弁体１５ａは、自重によって弁座１９ｃ上に載置され、弁孔１９ｄを閉塞してなる。
【００２５】
噴出ボタン１６は、キャップ状の本体部１６ａの外周に噴出管１６ｂを嘴状に設けるとともに、本体部１６ａの内部中央に筒部１６ｃを下向きに設け、筒部１６ｃの下端部から噴出管１６ｂ先端の噴口１６ｅへ至る噴出通路１６ｄを内部に形成する。
【００２６】
そして、まず、吸込管１３の上部をシリンダ１２下部の外周面にはめ付け、シリンダ１２の上部からステム１９を圧入する。すると、ステム１９の下方にシリンダ室１２ｅが形成され、吸込管１３、シリンダ室１２ｅ、管路１９ａとが連通する。
【００２７】
次に、シリンダ１２のフランジ１２ａをガスケット１７を介して容器１０の口部１０ａに載置する。さらに、取付部材１１のステム挿通孔１１ｂに、下方からステム１９を突出させる。取付部材１１の雌ねじ１１ｅと容器１０の雄ねじ１０ｂとを嵌合して、取付部材１１で容器１０に取り付ける。
【００２８】
そして、ステム１９の先端に噴出ボタン１６の筒部１６ｃを圧入して取り付け、噴出通路１６ｄと管路１９ａとを連通する。
【００２９】
いま、この噴出器を使用するとき、噴出ボタン１６をコイルバネ１８に抗して図１中矢印Ａ方向に押し込み、ステム１９をシリンダ１２内に押し下げる。すると、シリンダ室１２ｅの圧力が高まり、吐出弁１５の弁体１５ａを押し上げる。すると、弁孔１９ｄが開き、シリンダ室１２ｅから管路１９ａを通って、噴出通路１６ｂに至る流路が貫通し、シリンダ室１２ｅ内に予め吸い上げられているシャンプー液を噴出ボタン１６の噴口１６ｅから噴出する。
【００３０】
そして、押し下げ最終段階となったとき、噴出ボタン１６から手を離して押し込みを解除すると、コイルバネ１８がステム１９を押し上げ、シリンダ室１２ｅが負圧化する。ここで、容器１０内は、空気吸込み孔１２ｄを介して外気と通じて、大気圧となっているので、容器１０内のシャンプー液が吸込管１３より上昇して、吸込弁１４の弁体１４ａを上方に押し上げ、シリンダ室１２ｅ内にシャンプー液を吸い上げる。
【００３１】
上述の噴出器では、ガード突部１１ｄを、取付部材１１に一体成形してなるので、部品点数を少なくすることができ、噴出ポンプを容易に製造することができる。加えて、ガード突部１１ｄを取付部材１１に一体成形してなるので、別体に形成した場合のように、部品間に隙間が生じず、その隙間に埃などが詰まり、周囲から飛散った液体がこれに付着して、カビが発生するようなことがなく、衛生的である。
【００３２】
また、取付部材１１は、ガード突部１１ｄを一体成形して設けるので、取付部材１１のステム挿通孔１１ｂとステム１９の外周面との間から、飛散った液体が容器１０内へ混入することを防止でき、衛生的である。
【００３３】
次に、この発明に係る噴出器の他例について、図２を用いて説明する。図中符号１０は、容器であり、内容物としてシャンプー液を収納する。容器１０の構成は、前述の例と同様であるので説明を省略する。
【００３４】
噴出ポンプＱは、取付部材２１、シリンダ２２、吸込管１３、ステム２４、噴出ボタン２６などをそなえる。取付部材２１は、頂部２１ａを有する略円筒状で、内周に雌ねじ２１ｅを有するとともに、頂部２１ａの中央にステム挿通孔２１ｂを有し、ステム挿通孔２１ｂの孔縁からステム２４の外周に沿って突出する、円環状のガード突部２１ｄをそなえてなる。この取付部材２１は、ガード突部２１ｄを一体成形してなる。
【００３５】
シリンダ２２は、途中に２つの段部２２ｂ，２２ｃを設けて図中下方に向け順次小径とする。
【００３６】
そのシリンダ２２の上端部は、外周にフランジ２２ａを設けるとともに、段部２２ｃのすぐ下に径方向に貫通する空気吸込み孔２２ｅをあける。
【００３７】
他方、シリンダ２２の下部は、段部２２ｃの内部に、吸込口２２ｇと管取付口２２ｈを続けて設ける。また、吸込口２２ｇのすぐ上には、下方に向けて漸次小径となる弁座２２ｉを続けて設ける。
【００３８】
このようなシリンダ２２内には、ボール状の逆止弁２３を入れて弁座２２ｉ上に乗せてから、コイルバネ２０を挿入して段部２２ｃ上に乗せる。
【００３９】
また、吸込管１３は、前例と同様の構成であるので、説明を省略する。
【００４０】
さらに、ステム２４は、管状で、内部に管路２４ａを設け、図３に示すように、その管路２４ａと連通して径方向に横孔２４ｂを設け、その横孔２４ｂ位置の外周に円周溝２４ｃを形成する。
【００４１】
一方、弾性摺動部材２５は、筒形状で、中間部に内面から内向きに突出して環状凸部２５ａを設ける。そして、ステム２４の下端部と段部２２ｃの内側との間にコイルバネ２０を設ける。
【００４２】
これにより、コイルバネ２０の付勢力でステム２４を押し上げ、円周溝２４ｃの下段部２４ｄを前記環状凸部２５ａの下面に押し当てて管路２４ａとシリンダ室２２ｆ間との連通を遮断する。
【００４３】
噴出ボタン２６は、図２に示すように、キャップ状の本体部２６ａの外周に噴出管２６ｂを嘴状に設けるとともに、本体部２６ａの内部中央に筒部２６ｃを下向きに設け、筒部２６ｃの下端部から噴出管２６ｂ先端へ至る噴出通路２６ｄを内部に形成する。また、筒部２６ｃに外側には、環状溝２６ｆを設ける。
【００４４】
そして、まず、吸込管１３の上部をシリンダ２２下部の外周面にはめ付け、環状凸部２５ａを円周溝２４ｃ内にはめ付け、弾性摺動部材２５の外周面をシリンダ２２の内周面に押し当てて、シリンダ２２の上部から、ステム２４を圧入する。すると、ステム２４の下方にシリンダ室２２ｆが形成され、吸込管１３、シリンダ室２２ｆ、管路２４ａとが連通する。
【００４５】
次に、シリンダ２２のフランジ２２ａをガスケット１７を介して容器１０の口部１０ａに載置する。さらに、取付部材２１のステム挿通孔２１ｂに、下方からステム２４を突出させる。取付部材２１の雌ねじ２１ｅと容器１０の雄ねじ１０ｂとを嵌合して、取付部材２１で容器１０に取り付ける。
【００４６】
そして、ステム２４の先端に、噴出ボタン２６の筒部２６ｃを圧入し、ガード突部２１ｄの先端を環状溝２６ｆ内に入り込ませて取り付ける。
【００４７】
いま、この噴出器を使用するとき、噴出ボタン２６をコイルバネ２０に抗して図２中矢印Ｂ方向に押し込み、ステム２４をシリンダ２２内に押し下げる。すると、シリンダ２２内面との摩擦抵抗により、弾性摺動部材２５はそのままの位置でステム２４が動き、弾性摺動部材２５の環状凸部２５ａの上面に円周溝２４ｃの上段部２４ｅを接触する。
【００４８】
そして、ステム２４の押し込みとともに、弾性摺動部材２５を変形して横孔２４ｂを開き、シリンダ室２２ｆと管路２４ａとを連通する一方、シリンダ室２２ｆ内の圧を高め、シリンダ室２２ｆ内に予め吸い上げられているシャンプー液を、横孔２４ｂを通して管路２４ａに送り出し、さらに、噴出通路２６ｄを通して噴出管２６ｂ先端の噴口２６ｅから外部へと噴出する。
【００４９】
そして、押し下げ最終段階となったとき、噴出ボタン２６から手を離して押し込みを解除すると、コイルバネ２０でステム２４を押し上げる。そして、シリンダ２２内面との摩擦抵抗により弾性摺動部材２５がそのままの位置でステム２４が動き、環状凸部２５ａの内面で管路２４ａを塞いで管路２４ａとシリンダ室２２ｆ間の連通を遮断する。そして、弾性摺動部材２５の環状凸部２５ａの下面に円周溝２４ｃの下段部２４ｄを接触する。
【００５０】
それから、ステム２４と一緒に弾性摺動部材２５を上方にスライドし、シリンダ室２２ｆ内を負圧化して逆止弁２３を開き、容器１０内のシャンプー液を吸込口２２ｇからシリンダ室２２ｆ内に吸い上げる。
【００５１】
上述の噴出器では、取付部材２１を組み合わせずに一体に作るので、隙間が生じず、埃や使用時に飛散ったシャンプー液が付着して、カビが発生することなく、衛生的である。
【００５２】
また、噴出ボタン２６の環状溝２６ｆ内に、ガード突部２１ｄを、入り込ませるので、ガード突部２１ｄの内周面を伝って、液体が、容器１０内へ混入することを防止でき、衛生的である。
【００５３】
【発明の効果】
したがって、請求項１に係る発明によれば、ガード突部を、取付部材に一体成形してなるので、部品点数を少なくすることができ、噴出ポンプを容易に製造することができる。加えて、ガード突部を取付部材に一体成形してなるので、別体に形成した場合のように、部品間に隙間が生じず、その隙間に埃などが詰まり、周囲から飛散った液体がこれに付着して、カビが発生するようなことがなく、衛生的な噴出ポンプを提供することができる。
【００５４】
請求項２に係る発明によれば、ガード突部を噴出ボタン内に入り込ませるので、ガード突部の内周面を伝って液体が容器内へ混入することを防止でき、一層衛生的な噴出ポンプを提供することができる。
【００５５】
請求項３に係る発明によれば、噴出ボタンの環状溝内にガード突部の先端を入り込ませるので、ガード突部の内周面を伝って液体が容器内へ混入することをより確実に防止でき、より一層衛生的な噴出ポンプを提供することができる。
【００５６】
請求項４に係る発明によれば、請求項１ないし３のいずれかに記載の効果を有する噴出ポンプをそなえた噴出器を提供することができる。
【図面の簡単な説明】
【図１】この発明による噴出ポンプをそなえた噴射器の要部縦断面図である。
【図２】その他例の噴出ポンプをそなえた噴射器の要部断面図である。
【図３】その部分拡大図である。
【図４】従来の噴出ポンプをそなえた噴射器の要部縦断面図である。
【図５】従来の別の噴出ポンプの縦断面図である。
【符号の説明】
１０　　容器
１１，２１　　取付部材
１１ｂ，２１ｂ　　ステム挿通孔
１１ｄ，２１ｄ　　ガード突部
１６，２６　　噴出ボタン
１９，２４　　ステム
２６ｆ　　環状溝
Ｐ，Ｑ　　噴出ポンプ
【図１】
2004089891.tif 000003
【図２】
2004089891.tif 000004
【図３】
2004089891.tif 000005
【図４】
2004089891.tif 000006
【図５】
2004089891.tif 000007